(57)【特許請求の範囲】
【請求項１】
所望の給油金額を含む情報をプリセット値として設定する設定器と、
給油金額として挿入された紙幣の種類を鑑定し、当該紙幣の金額を識別する紙幣鑑別手段と、
前記紙幣鑑別手段により識別された紙幣を当該紙幣の種類別に収容する紙幣収容部と、
該各紙幣収容部に収容された紙幣の枚数を当該紙幣の種類別に記憶する記憶手段と、
該設定器に設定されるプリセット値及び前記紙幣鑑別手段により識別された紙幣の金額に基づきプリセット給油制御を行う計量機と、
前記計量機による給油が終了した場合に今回の給油に関する給油情報が印字されたレシートを発行するレシート発行部と、
を有する給油システムにおいて、
前記紙幣収容部に設けられた蓋が開かれて前記紙幣収容部から紙幣を取出す操作に関連して作動する検出手段と、
前記検出手段からの検出信号により前記記憶手段に記憶された各紙幣の収容枚数をゼロにリセットするリセット手段と、
該検出手段よりの検出信号に基づき、前記記憶手段に記憶された紙幣の収容枚数が当該紙幣の種類別に印字されると共に、前記給油情報に基づき給油毎の時刻、入金額、給油量が印字されたレシート用紙を前記レシート発行部より発行させるレシート発行手段と、
を備えたことを特徴とする給油システム。
【発明の詳細な説明】
【０００１】
【発明の属する技術分野】
本発明は給油所で車両に給油するときに設定器に紙幣を投入して給油量を設定するよう構成した給油システムに関する。
【０００２】
【従来の技術】
例えば、セルフサービス方式の計量機が設置された給油所等では、運転者自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。給油料金の精算方法としては、現金で支払う方法、クレジットカードで支払う方法等がある。そして、精算方法が現金の場合には、運転者は給油後に給油所の事務所に移動して給油料金の精算を行う。
【０００３】
また、セルフサービス方式の計量機に給油量または給油金額の設定を行う設定器及び自動支払機が設けられている所謂アイランド精算方式の場合には、給油場所で給油料金の精算を行うことができる。この自動支払機は、紙幣挿入部及び硬貨挿入部が設けられ、挿入された紙幣及び硬貨の種類を鑑別する鑑別部と、挿入された金額を表示する表示部とを有する。
【０００４】
そして、アイランド精算方式の給油システムでは、給油前に予め給油量または給油金額をプリセットする場合、運転者は、まず自動支払機に紙幣（１万円札、５千円札等）を紙幣挿入部に挿入し、入金された金額が紙幣リーダにより読み取られて表示部に入金金額が表示された後、所望の油種（レギュラー、ハイオク、軽油等）を入力し、所望の給油量（１０リットル、２０リットル等）または給油金額（２千円、３千円等）を入力することで、計量機が給油可能状態になる。
【０００５】
【発明が解決しようとする課題】
上記のような自動支払機が備えられたアイランド精算方式の給油システムでは、給油金額をプリセットする場合、運転者が紙幣を入金した後、所望の給油金額のプリセットスイッチを操作して給油量または給油金額をプリセットするため、時間の経過と共に自動支払機に投入された紙幣の枚数が増加する。そのため、給油所の係員は、定期的に各計量機の自動支払機に収容された紙幣の回収作業を行っている。
【０００６】
しかしながら、各自動支払機の紙幣収容箱に収容された紙幣の枚数を数えるとき、事務所の管理コンピュータに記憶された入金データのなかから紙幣の枚数をピックアップして各自動支払機の紙幣収容箱に収容された紙幣の枚数と、入金データの紙幣の枚数とを照合しなければならず、管理コンピュータの入金データを呼び出すのに手間と時間がかかるといった問題がある。
【０００７】
さらに、自動支払機が故障して入金された紙幣の金額を識別できなかったり、あるいは入金金額が表示されない場合、給油所の係員は、設定器の紙幣収納部に収納された紙幣を取出して顧客が投入した金額の紙幣が紙幣収納部に入っていることを確認する必要がある。
【０００８】
ところが、給油所の係員は、紙幣収納部に紙幣が入っていることを確認することができるものの、顧客が入金した紙幣がどれなのかその場で判別できなかった。
【０００９】
そこで、本発明は上記課題を解決した給油システムを提供することを目的とする。
【００１０】
【課題を解決するための手段】
本発明は上記課題を解決するため、以下のような特徴を有する。
【００１１】
本発明は、所望の給油金額を含む情報をプリセット値として設定する設定器と、
給油金額として挿入された紙幣の種類を鑑定し、当該紙幣の金額を識別する紙幣鑑別手段と、
前記紙幣鑑別手段により識別された紙幣を当該紙幣の種類別に収容する紙幣収容部と、
該各紙幣収容部に収容された紙幣の枚数を当該紙幣の種類別に記憶する記憶手段と、
該設定器に設定されるプリセット値及び前記紙幣鑑別手段により識別された紙幣の金額に基づきプリセット給油制御を行う計量機と、
前記計量機による給油が終了した場合に今回の給油に関する給油情報が印字されたレシートを発行するレシート発行部と、
を有する給油システムにおいて、
前記紙幣収容部に設けられた蓋が開かれて前記紙幣収容部から紙幣を取出す操作に関連して作動する検出手段と、
前記検出手段からの検出信号により前記記憶手段に記憶された各紙幣の収容枚数をゼロにリセットするリセット手段と、
該検出手段よりの検出信号に基づき、前記記憶手段に記憶された紙幣の収容枚数が当該紙幣の種類別に印字されると共に、前記給油情報に基づき給油毎の時刻、入金額、給油量が印字されたレシート用紙を前記レシート発行部より発行させるレシート発行手段と、
を備えたことを特徴とするものであり、紙幣収容部に設けられた蓋を開いたことが検出されたとき、その場で給油毎の時刻、入金額、給油量と共に紙幣収容部に収容された紙幣の枚数と記憶手段に記憶された紙幣の収容枚数とを照合でき、短時間で正確な入金金額及び各紙幣の枚数を確認できる。
【００１２】
また、本発明は、紙幣収容部が各紙幣の種類別に設けられており、記憶手段に各紙幣の種類別の収容枚数が記憶されているので、複数の種類ごとに収容される各紙幣の枚数を個別に確認することができる。
【００１３】
また、本発明は、検出手段からの検出信号により記憶手段に記憶された各紙幣収容部に収容された紙幣の収容枚数をゼロにリセットするものであり、紙幣収容部に収容された紙幣の枚数を回収する際に記憶手段に記憶された各紙幣の収容枚数をゼロにリセットするための操作が不要になり、紙幣を回収したのに記憶手段をリセットするのを忘れてしまい次回の紙幣回収時に紙幣の枚数確認ができなくなることを防止できる。
【００１４】
【発明の実施の形態】
以下、図面と共に本発明の実施の形態について説明する。
【００１５】
図１は本発明になる給油システムの一実施例の構成図である。
【００１６】
図１に示されるように、給油システム１０は、給油エリア１１に設置されたセルフサービス給油方式の計量機１２と、計量機１２に隣接するように設けられた設定器１４と、事務所１６内に設置された管理コンピュータ１８と、管理コンピュータ１８に接続された記憶装置１９とを有する。また、設定器１４は、管理コンピュータ１８と通信回線（ＳＳ−ＬＡＮ）２０を介して接続されており、後述するように紙幣のみを扱う自動支払機２９（図３参照）が設けられた一部アイランド精算方式が採用されている。そして、事務所１６内には、紙幣以外の小銭（硬貨）による釣銭（千円未満の釣銭）を支払うための釣銭機２４及び地下タンク（図示せず）の液位を検出する液面計２５が設置されている。
【００１７】
また、給油エリア１１には、計量機１２及び設定器１４の周辺を監視するための監視カメラ２１が設けられており、事務所内に設置されたモニタ２３には、監視カメラ２１で撮像された画像が表示される。さらに、管理コンピュータ１８は、油液の販売管理を行うＰＯＳ端末機２２と、給油エリアにおいて油液の流出などの緊急事態が発生した場合に計量機１２を停止される外部緊急停止スイッチ３２が接続されている。
【００１８】
図２は給油システム１０の全体構成を示すブロック図である。
【００１９】
図２に示されるように、給油システム１０では、４台の計量機１２（１２１〜１２４）が設置されている。管理コンピュータ１８は、４台の計量機１２（１２１〜１２４）及び設定器１４（１４１〜１４４）と通信回線（ＳＳ−ＬＡＮ）２０を介して接続されている。
【００２０】
図３は設定器１４の概略構成を示すブロック図である。
【００２１】
図３に示されるように、設定器１４は、油種入力部２６と、油種設定部２８と、自動支払機２９と、収容蓋スイッチ３６と、確認スイッチ釦３８ａ，３８ｂと、油種表示部４０と、入金金額表示部４２と、単価表示部４４と、スピーカ４８と、レシートランプ釦５０と、給油ランプ５１と、レシート発行部５２と、お釣りランプ５３と、これらを制御する制御部５４とを有する。
【００２２】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。
【００２３】
自動支払機２９は、紙幣挿入部３０と、紙幣鑑別部３２と、紙幣返却部３３と、紙幣収容部３４とを有する。紙幣挿入部３０には、給油前に１万円札、５千円札、千円札等の紙幣のみが挿入される。そして、紙幣鑑別部３２では、紙幣挿入部３０に挿入された紙幣の鑑定を行って、紙幣の種類に応じた入金金額を検出する。
【００２４】
紙幣返却部３３の内部は、紙幣を種類別に収容できるように仕切られており、１万円札、５千円札、千円札を個別に収容する各室が設けられている。そして、紙幣鑑別部３２で鑑定された紙幣は、種類別（１万円札、５千円札、千円札）に分類されて紙幣収容部３４に収容される。また、紙幣返却部３３は、入金後のプリセット操作により紙幣（千円以上）による釣銭が有る場合、紙幣収容部３４に収容された紙幣のなかから釣銭としての紙幣を取出して排出する。
【００２５】
給油所の係員は、定期的に紙幣収容部３４に収容された紙幣を回収する。自動支払機２９は、キーロックされた蓋２９ａ（図４参照）を有しており、蓋２９ａが開放されると、収容蓋スイッチ３６がオンになって紙幣の回収作業が行われたことを検出できる。
【００２６】
確認スイッチ釦３８ａ，３８ｂは、油種表示部４０に表示された油種、及び入金金額表示部４２に表示された入金金額が確認されると、ＹＥＳまたはＮＯによって選択的に操作される。また、確認スイッチ釦３８ａ，３８ｂは、ランプが内蔵されており、後述するように入金があると、点滅して操作順序を報知する。
【００２７】
レシートスイッチ５０は、給油終了後に点灯してレシート発行部５２からのレシート発行を報知するものである。また、お釣りランプ５３は、給油後に釣銭があるとき点灯して釣銭があることを顧客に報知する。そして、レシート発行部５２は、給油終了後、給油した油種、給油量、給油金額、釣銭を印字したレシートを発行する。また、スピーカ４８は、油種設定の操作方法や入金方法や釣銭を受け取る場合の方法を音声でガイダンスする。
【００２８】
制御部５４のメモリ５５には、収容蓋スイッチ（検出手段）３６からの検出信号により記憶装置（記憶手段）１９に記憶された紙幣の収容枚数をレシートに印字するレシート印字プログラム（報知手段）と、収容蓋スイッチ３６からの検出信号により記憶装置１９に記憶された各紙幣の収容枚数をゼロにリセットする制御プログラム（リセット手段）とが格納されている。
【００２９】
次に、設定器１４に設けられた操作パネルの構成及び操作手順について説明する。
【００３０】
図４は設定器１４に設けられた操作パネルの一例を示す正面図である。
【００３１】
図４に示されるように、設定器１４の操作パネル５６は、上から順に▲１▼油の種類を押す、▲２▼お金を入れる、▲３▼確認する、▲４▼給油開始、▲５▼レシートを取るといった操作手順が記載されている。
【００３２】
「▲１▼油の種類を押す」の欄には、給油する油種を指定するための油種入力部２６として軽油釦５８、ハイオク釦６０、レギュラー釦６２が配置されている。また、軽油釦５８、ハイオク釦６０、レギュラー釦６２は、ランプが内蔵されており、後述するようにオンに操作されると点灯して選択された油種であることを表示する。
【００３３】
「▲２▼お金を入れる」の欄には、紙幣を挿入する紙幣挿入部３０と紙幣返却部３３とを有する自動支払機２９、入金金額表示部４２、単価表示部４４が設けられている。また、自動支払機２９の蓋２９ａは、通常、キーによりロック解除されており、紙幣回収時にロック解除されて開かれる。また、自動支払機２９は、蓋２９ａが開かれたことを検出する収容蓋スイッチ３６と、紙幣鑑別部３２と、紙幣収容部３４とを有する。そして、自動支払機２９の蓋２９ａは、紙幣収容部３４に収容された紙幣が回収されると、閉塞されてロックされる。
【００３４】
「▲３▼確認する」の欄には、ＹＥＳ確認スイッチ釦３８ａとＮＯ確認スイッチ釦３８ｂとが設けられている。
【００３５】
「▲４▼給油開始」の欄には、給油許可がおりたことを点滅して報知する給油ランプ５１が設けられている。
【００３６】
「▲５▼レシート」の欄には、レシートスイッチ５０と、レシート発行部５２と、お釣りランプ５３とが設けられている。
【００３７】
ここで、上記給油システム１０において、行われる給油操作について説明する。
【００３８】
給油のため給油所に到着した車両の操作者は、まず給油エリア１１の空いている計量機１２の前に車両を停車させてから設定器１４の設定操作を行う。そして、設定器１４による油種、給油金額を設定し終わると、計量機１２の給油ノズルを車両の給油口（図示せず）に挿入して給油を開始する。
【００３９】
次に、顧客（運転者）及び給油所の監視者（係員）が行う操作手順について説明する。
【００４０】
図５は顧客（運転者）及び給油所の監視者（係員）が行う操作手順について説明するフローチャートである。
【００４１】
図５に示されるように、顧客（運転者）が設定器１４において、軽油釦５８、ハイオク釦６０、レギュラー釦６２の何れかをオンに操作して油種選択操作を行った（Ｓ１１）後、紙幣を紙幣挿入部３０に挿入すると、入金金額が入金金額表示部４２に表示される（Ｓ１２）。
【００４２】
次に顧客が、給油金額のプリセット設定を行うと共に、プリセットされた給油金額に相当する給油量を表示する（Ｓ１３）。そして、表示された給油金額及び給油量が間違っているときは（Ｓ１４）、確認スイッチ釦３８ｂをオンに操作する（Ｓ１５）。この場合、顧客は設定操作を最初からやり直す。
【００４３】
また、表示された給油金額及び給油量が正しければ（Ｓ１４）、確認スイッチ釦３８ａをオンに操作する（Ｓ１６）。そして、紙幣の釣銭（千円以上）があるかどうかを判断して（Ｓ１７）、紙幣の釣銭があるときは、紙幣返却部３３に釣銭としての紙幣を排出する（Ｓ１８）。上記プリセット操作が終了すると、計量機１２において、給油ノズル（図示せず）をノズル掛けから外して（Ｓ１９）、車両の給油口に挿入する。
【００４４】
この後、給油所の事務所において、管理コンピュータ１８は、計量機１２からの給油許可要求信号を受けて給油許可待ち状態になる（Ｓ２０）。給油所の係員（監視者）は、計量機１２からの給油許可要求に対して設定器１４により設定されたプリセット値とモニタ２３に表示された当該計量機１２周辺の画像を確認して給油許可を出力する（Ｓ２１）。
【００４５】
計量機１２では、給油許可信号を受信すると、給油ランプ５１が点滅し、ポンプ（図示せず）が起動されて給油が開始される（Ｓ２２）。そして、プリセットされた給油量が給油されると、ポンプが停止される（Ｓ２３）。顧客が給油ノズルを計量機１２のノズル掛けに戻すと（Ｓ２４）、設定器１４では給油量と入金金額との差を求めて釣銭（千円以下）の有無を判別する（Ｓ２５）。
【００４６】
釣銭（千円以下）があるときは、レシートランプ釦５０を点滅させてレシート発行部５２からレシートを発行する（Ｓ２６）。その後、給油所の事務所において、係員（監視者）は、釣銭機２４に伝票番号を入力して釣銭の払い出しを許可する（Ｓ２７）。
【００４７】
顧客は、給油終了後、釣銭機２４から釣銭を受取る（Ｓ２８）。これで、給油及び精算処理は終了する（Ｓ２９）。
【００４８】
また、Ｓ２５で釣銭がないときは、レシートランプ釦５０を点滅させる（Ｓ３０）。顧客がレシートランプ釦５０を押圧してオンに操作すると（Ｓ３１）、レシート発行部５２からレシートを発行する（Ｓ３２）。これで、給油及び精算処理は終了する（Ｓ３３）。
【００４９】
また、Ｓ３１で顧客がレシートランプ釦５０を押圧操作しないときは、３０秒経過したかどうかを確認する（Ｓ３４）。尚、３０秒が経過してもレシートランプ釦５０が押圧操作されないときは、レシートランプ釦５０を消灯させ（Ｓ３５）、給油及び精算処理を終了する。
【００５０】
次に上記紙幣収容部３４に収容された紙幣を回収するときに実行される割込処理について説明する。
【００５１】
図６は紙幣回収時に設定器１４の制御部５４及び管理コンピュータ１８が実行する割込処理を説明するためのフローチャートである。
【００５２】
図６に示されるように、設定器１４の制御部５４は、自動支払機２９の蓋２９ａが開かれると、収容蓋スイッチ３６がオンになり（Ｓ４１）、管理コンピュータ１８へ給油情報要求信号を送信する（Ｓ４２）。
【００５３】
管理コンピュータ１８は、給油情報要求信号を受信すると（Ｓ５１）、記憶装置１９に記憶された給油情報（給油時刻、伝票番号、入金額、油種、給油量等）を当該設定器１４へ送信する（Ｓ５２）。
【００５４】
設定器１４は、管理コンピュータ１８から送信された給油情報（給油時刻、伝票番号、入金額、油種、給油量等）を受信すると（Ｓ４３）、給油情報をレシート用紙に印字してレシート発行部５２からレシートを発行する（Ｓ４４）。そして、給油情報の印字が終了すると、給油情報の印字終了信号を管理コンピュータ１８へ送信する（Ｓ４５）。
【００５５】
管理コンピュータ１８では、設定器１４から送信された印字終了信号を受信すると（Ｓ５３）、記憶装置１９に記憶された給油情報（給油時刻、伝票番号、入金額、油種、給油量等）をリセットする（Ｓ５４）。続いて、紙幣収容部３４に収容された各紙幣毎の枚数及び合計金額のカウント値を当該設定器１４へ送信する（Ｓ５５）。
【００５６】
設定器１４は、管理コンピュータ１８から送信された各紙幣毎の枚数及び合計枚数のデータを受信すると（Ｓ４６）、各紙幣毎の枚数及び合計金額をレシート用紙に印字してレシート発行部５２からレシートを発行する（Ｓ４７）。そして、各紙幣毎の枚数及び合計金額の印字が終了すると、各紙幣毎の情報の印字終了信号を管理コンピュータ１８へ送信する（Ｓ４８）。
【００５７】
管理コンピュータ１８では、各紙幣毎の情報の印字終了信号を受信すると（Ｓ５６）、記憶装置１９に記憶された各紙幣毎の枚数及び合計金額のカウント値をリセットする（Ｓ５４）。
【００５８】
このように、給油所の係員は、自動支払機２９の蓋２９ａを開いて紙幣収容部３４に収容された紙幣を回収すると、レシート発行部５２から給油情報（給油時刻、伝票番号、入金額、油種、給油量等）及び各紙幣毎の枚数及び合計枚数が印字されたレシート（図７参照）が自動的に発行されるため、その場で紙幣収容部３４に収容された各紙幣毎の枚数とレシートに印字された各紙幣毎の枚数とを照合して一致するか否かを確認することができる。
【００５９】
例えば、顧客が紙幣を挿入したのにプリセットができない場合、給油所の係員は、レシートに印字された各紙幣毎の枚数よりも紙幣収容部３４に収容された各紙幣毎の枚数が多いことが確認されると、挿入された紙幣が認識されないまま紙幣収容部３４に収容されたものと判断して枚数が一致しなかった当該紙幣を顧客に返却することが可能になる。
【００６０】
また、給油情報（給油時刻、伝票番号、入金額、油種、給油量等）及び各紙幣毎の枚数及び合計金額がレシート用紙に印字されると、記憶装置１９に記憶された給油情報を自動的にリセットするため、給油所の係員がリセット操作を忘れて次回の回収時にレシートに印字される給油情報に前回の情報が混ざってしまうことを防止でき、且つ紙幣の回収を行う際にレシート用紙に印字される各紙幣毎の枚数が正確な値に更新される。そのため、紙幣回収時は、レシートに印字された各紙幣毎の枚数を基準値として毎回紙幣収容部３４に収容された各紙幣毎の枚数を確認することができる。
【００６１】
図７はレシート発行部５２からレシートの一例を示す図である。
【００６２】
図７に示されるように、紙幣回収時に発行されるレシート７０は、▲１▼給油ポイント番号、▲２▼回収伝票番号、▲３▼給油毎のデータ（時刻、伝票番号、入金金額、油種、給油量など）、▲４▼５０件毎の改行、▲５▼各紙幣ごとの入金金額、▲６▼各紙幣毎の枚数、▲７▼全紙幣の合計金額などが印字される。
【００６３】
従って、給油所の係員は、レシート７０に記載された各紙幣毎の枚数（一万円札９枚、五千円札１５枚、千円札１０２枚）と紙幣収容部３４に収容された各紙幣毎の枚数とを比較して一致するか否かをチェックする。そして、給油所の係員は、各紙幣毎の枚数とレシート７０に記載された各紙幣毎の枚数とが一致した場合、異常なしと判断して自動支払機２９の蓋２９ａを閉蓋してロックする。
【００６４】
また、給油所の係員は、レシート７０に記載された給油毎のデータ（時刻、伝票番号、入金金額、油種、給油量など）から過去の入金時刻、入金金額を簡単に確認できるので、例えば入金していないのにプリセットできないといった顧客の不正による苦情をチェックすることもできる。
【００６５】
尚、上記実施の形態では、自動支払機２９の蓋２９ａが開かれると、給油情報（給油時刻、伝票番号、入金額、油種、給油量等）、各紙幣毎の枚数、合計金額をレシート用紙に印字する場合を一例として挙げたが、これに限らず、例えば設定器１４に設けられた液晶ディスプレイ等に給油情報、各紙幣毎の枚数、合計金額等を表示するようにしても良い。
【００６６】
また、上記実施の形態では、自動支払機２９の蓋２９ａが開かれると、給油情報、各紙幣毎の枚数、合計金額をレシート用紙に印字する場合を一例として挙げたが、これに限らず、例えば紙幣収容部３４に収容された各紙幣を取出すと、給油情報、各紙幣毎の枚数、合計金額をレシート用紙に印字するようにしても良い。
【００６７】
また、上記実施の形態では、給油情報、各紙幣毎の枚数、合計金額等の情報を記憶する記憶装置１９が管理コンピュータ１８に接続された構成を一例としたが、
これに限らず、例えば記憶装置１９が設定器１４に接続された構成のものにも適用できるのは勿論である。
【００６８】
【発明の効果】
上述の如く、本発明によれば、紙幣収容部に設けられた蓋が開かれて紙幣収容部から紙幣を取出す操作に関連して作動する検出手段と、検出手段からの検出信号により記憶手段に記憶された各紙幣の収容枚数をゼロにリセットするリセット手段と、検出手段よりの検出信号に基づき、記憶手段に記憶された紙幣の収容枚数が当該紙幣の種類別に印字されると共に、給油情報に基づき給油毎の時刻、入金額、給油量が印字されたレシート用紙をレシート発行部より発行させるレシート発行手段と、を備えたため、紙幣収容部に設けられた蓋を開いたことが検出されたとき、その場で給油毎の時刻、入金額、給油量と共に紙幣収容部に収容された紙幣の枚数と記憶手段に記憶された紙幣の収容枚数とを照合でき、短時間で正確な入金金額及び各紙幣の枚数を確認できる。そのため、顧客から紙幣入金の苦情が寄せられてもその場で故障なのかどうかを確認することが可能になる。
【００６９】
また、本発明によれば、紙幣収容部が各紙幣の種類別に設けられており、記憶手段に各紙幣の種類別の収容枚数が記憶されているため、複数の種類ごとに収容される各紙幣の枚数を個別に確認することができる。そのため、顧客が入金せずに給油しようとしても入金金額及び各紙幣の枚数を確認して顧客の不正を見抜くことができる。
【００７０】
また、本発明によれば、検出手段からの検出信号により記憶手段に記憶された各紙幣収容部に収容された紙幣の収容枚数をゼロにリセットするため、紙幣収容部に収容された紙幣の枚数を回収する際に記憶手段に記憶された各紙幣の収容枚数をゼロにリセットするための操作が不要になり、紙幣を回収したのに記憶手段をリセットするのを忘れてしまい次回の紙幣回収時に紙幣の枚数確認ができなくなることを防止できる。
【図面の簡単な説明】
【図１】本発明になる給油システムの一実施例の構成を示すブロック図である。
【図２】給油システム１０の全体構成を示すブロック図である。
【図３】設定器１４の概略構成を示すブロック図である。
【図４】設定器１４に設けられた操作パネルの一例を示す正面図である。
【図５】顧客（運転者）及び給油所の監視者（係員）が行う操作手順について説明するフローチャートである。
【図６】紙幣回収時に設定器１４の制御部５４及び管理コンピュータ１８が実行する割込処理を説明するためのフローチャートである。
【図７】レシート発行部５２からレシートの一例を示す図である。
【符号の説明】
１０  給油システム
１２（１２１〜１２４）  計量機
１４（１４１〜１４４）  設定器
１８  管理コンピュータ
２４  釣銭機
２９  自動支払機
３０  紙幣挿入部
３２  紙幣鑑別部
３３  紙幣返却部
３４  紙幣収容部
３６  収容蓋スイッチ
３８ａ，３８ｂ  確認スイッチ釦
４２  入金金額表示部
５２  レシート発行部
５４  制御部
５６  操作パネル
５０  レシートランプ釦
【図１】
0004410389.tif 000002
【図２】
0004410389.tif 000003
【図３】
0004410389.tif 000004
【図４】
0004410389.tif 000005
【図５】
0004410389.tif 000006
【図６】
0004410389.tif 000007
【図７】
0004410389.tif 000008